(57)【要約】受信装置１００は、１つ以上の地図画像を受信する受信部１０１と、選局情報格納部１０４と、選局画面作成部１０５と、表示部１０７Ａと、選局部１０７Ｂとを備える。選局情報格納部は、１つ以上の放送局から受信した１つ以上の放送局１９０の周波数をそれぞれ示す１つ以上の周波数情報と１つ以上の地図画像とを対応付けて格納する。選局画面作成部は、選局情報格納部に格納された１つ以上の周波数情報と１つ以上の周波数情報に対応する１つ以上の地図画像で１つ以上の放送局を表示した選局画面を作成する。表示部は選局画面を表示する。選局部は、表示部に表示された選局画面から１つ以上の放送局のうち受信部が受信する放送局を選局する。この受信装置は、地図データを備えていないが、データ放送の受信データを活用し、ユーザが地図画像に基づき放送局を選局することが可能である。
2015146118.tif 000002
【特許請求の範囲】
【請求項１】
地図データを備えない受信装置であって、
１つ以上の地図画像を受信する受信部と、
１つ以上の放送局から受信した前記１つ以上の放送局の周波数をそれぞれ示す１つ以上の周波数情報と前記１つ以上の地図画像とを対応付けて格納する選局情報格納部と、
前記選局情報格納部に格納された前記１つ以上の周波数情報と前記１つ以上の周波数情報に対応する前記１つ以上の地図画像で前記１つ以上の放送局を表示した選局画面を作成する選局画面作成部と、
前記選局画面を表示する表示部と、
前記表示部に表示された前記選局画面から前記１つ以上の放送局のうち前記受信部が受信する放送局を選局する選局部と、
を備えた受信装置。
【請求項２】
地図データを備えない受信装置であって、
１つ以上の地図画像情報をそれぞれ含む１つ以上の放送を受信する受信部と、
前記受信部の受信周波数を順次変更して、１つ以上の放送局を順次受信するように前記受信部を制御するスキャニング制御部と、
前記スキャニング制御部で制御されて前記受信部が受信した前記１つ以上の放送局の周波数をそれぞれ示す１つ以上の周波数情報と前記１つ以上の地図画像情報をそれぞれ対応付けて格納する選局情報格納部と、
前記選局情報格納部に格納された前記１つ以上の放送局の前記１つ以上の周波数情報と前記１つ以上の地図画像情報との組から、前記１つ以上の周波数情報のうちのすくなくとも１つの周波数情報と前記１つ以上の地図画像情報にそれぞれ基づく１つ以上の地図画像とで前記１つ以上の放送局を表示した選局画面を作成する選局画面作成部と、
前記選局画面を表示する表示部と、
前記表示部に表示された前記選局画面から前記１つ以上の放送局のうち前記受信部が受信する放送局を選局する選局部と、
を備えた受信装置。
【請求項３】
音声放送と、前記１つ以上の放送とを受信可能な音声放送受信部をさらに備え、
前記スキャニング制御部は、前記音声放送受信部の受信周波数を順次変更して、前記１つ以上の放送局を順次受信するように前記音声放送受信部を制御し、
前記選局情報格納部は、前記スキャニング制御部で制御されて前記音声放送受信部が受信した前記１つ以上の放送局の前記１つ以上の周波数情報と前記１つ以上の地図画像情報とを対応付けて格納する、請求項２に記載の受信装置。
【請求項４】
現在位置を取得する現在位置取得部をさらに備え、
前記選局画面は、前記１つ以上の周波数情報と、前記１つ以上の地図画像と、前記１つ以上の地図画像がそれぞれ示す１つ以上の位置と前記現在位置との位置関係に基づき配置された前記現在位置を示す標示とを含む、請求項２または請求項３に記載の受信装置。
【請求項５】
現在位置を取得する現在位置取得部をさらに備え、
前記１つ以上の放送局は複数の放送局を含み、
前記１つ以上の周波数情報は、前記複数の放送局の周波数をそれぞれ示す複数の周波数情報を含み、
前記１つ以上の地図画像は、複数の地図画像を含み、
前記選局画面は、前記複数の地図画像の示す位置と前記現在位置との位置関係に基づき配置されてかつ前記複数の周波数情報をそれぞれ重畳した複数の地図画像と前記現在位置を示す標示を含む、請求項２または請求項３に記載の受信装置。
【請求項６】
地図データを備えない受信装置の制御方法であって、
受信周波数を順次変更して、１つ以上の受信可能な放送を順次受信するステップと、
前記受信した１つ以上の受信可能な放送から１つ以上の地図画像情報を抽出し、前記１つ以上の受信可能な放送の１つ以上の周波数情報とそれぞれ対応付けて格納するステップと、
前記格納された１つ以上の周波数情報と前記格納された１つ以上の周波数情報にそれぞれ対応する前記１つ以上の地図画像情報の組から前記格納された１つ以上の周波数情報と前記１つ以上の地図画像で前記１つ以上の受信可能な放送局を表示した選局画面を作成するステップと、
前記作成した選局画面を表示するステップと、
を含む、受信装置の制御方法。
【請求項７】
地図データを備えない受信装置の制御方法であって、
受信周波数を順次変更して、１つ以上の受信可能な放送を順次受信するステップと、
前記受信した１つ以上の受信可能な放送から１つ以上の地図画像情報を抽出し、前記１つ以上の受信可能な放送の周波数をそれぞれ示す１つ以上の周波数情報と前記１つ以上の地図画像情報を対応付けて格納するステップと、
現在位置を取得するステップと、
前記格納した１つ以上の周波数情報と前記格納した１つ以上の地図画像情報の組と前記現在位置から、前記１つ以上の受信可能な放送局を、前記１つ以上の周波数情報と、前記１つ以上の地図画像と、前記１つ以上の地図画像が示す位置と前記現在位置との位置関係に基づき配置した前記現在位置を示す画像とで表示した選局画面を作成するステップと、
前記作成した選局画面を表示するステップと、
を含む、受信装置の制御方法。
【請求項８】
地図データを備えない受信装置の制御方法であって、
受信周波数を順次変更して、複数の受信可能な放送を順次受信するステップと、
前記受信した複数の受信可能な放送から複数の地図画像情報を抽出し、前記複数の受信可能な放送の周波数をそれぞれ示す複数の周波数情報と対応付けて格納するステップと、
現在位置を取得するステップと、
前記格納した複数の周波数情報と前記複数の地図画像情報との複数の組と前記現在位置から、前記複数の地図画像情報にそれぞれ基づく複数の地図画像の示す位置と前記現在位置との位置関係に基づき配置した前記複数の周波数情報をそれぞれ重畳した複数の地図画像と前記現在位置を示す画像とからなる選局画面を作成するステップと、
前記作成した選局画面を表示するステップと、
を含む、受信装置の制御方法。
【請求項９】
請求項７または請求項８に記載の制御方法をコンピュータに実行させるためのプログラム。
【請求項１０】
請求項９に記載のプログラムを記録したコンピュータが読み取り可能な記録媒体。
【発明の詳細な説明】
【技術分野】
【０００１】
本発明は、地図画像情報を含むデータ放送を受信する受信装置に関する。
【背景技術】
【０００２】
従来のデータ放送を受信する受信装置として、例えばナビゲーション装置が知られている。ナビゲーション装置が、データ放送の受信内容から自身が備える地図画像に放送局のサービスエリアを表示し、ユーザが、地図画像に表示されたサービスエリアに基づき放送局を選局することを可能としたものが知られている（例えば特許文献１参照）。【０００３】
しかしながら、地図データを備えていない受信装置では、ユーザは地図画像に基づき放送局を選局することができない。
【先行技術文献】
【特許文献】
【０００４】
【特許文献１】特許第４１０２９５２号公報
【発明の概要】
【０００５】
受信装置は、１つ以上の地図画像を受信する受信部と、選局情報格納部と、選局画面作成部と、表示部と、選局部とを備える。選局情報格納部は、１つ以上の放送局から受信した１つ以上の放送局の周波数をそれぞれ示す１つ以上の周波数情報と１つ以上の地図画像とを対応付けて格納する。選局画面作成部は、選局情報格納部に格納された１つ以上の周波数情報と１つ以上の周波数情報に対応する１つ以上の地図画像で１つ以上の放送局を表示した選局画面を作成する。表示部は選局画面を表示する。選局部は、表示部に表示された選局画面から１つ以上の放送局のうち受信部が受信する放送局を選局する。
【０００６】
別の受信装置は、受信部と、受信部を制御するスキャニング制御部と、選局情報格納部と、選局画面を作成する選局画面作成部と、表示部と、選局部とを備える。受信部は、１つ以上の地図画像情報をそれぞれ含む１つ以上の放送を受信する。スキャニング制御部は、受信部の受信周波数を順次変更して、１つ以上の放送局を順次受信するように受信部を制御する。選局情報格納部は、スキャニング制御部で制御されて受信部が受信した１つ以上の放送局の周波数をそれぞれ示す１つ以上の周波数情報と１つ以上の地図画像情報をそれぞれ対応付けて格納する。選局画面作成部は、選局情報格納部に格納された１つ以上の放送局の１つ以上の周波数情報と１つ以上の地図画像情報との組から、１つ以上の周波数情報のうちのすくなくとも１つの周波数情報と１つ以上の地図画像情報にそれぞれ基づく１つ以上の地図画像とで１つ以上の放送局を表示した選局画面を作成する。表示部は選局画面を表示する。選局部は、表示部に表示された選局画面から１つ以上の放送局のうち受信部が受信する放送局を選局する。
【０００７】
これらの受信装置は、地図データを備えていないが、データ放送の受信データを活用し、ユーザが地図画像に基づき放送局を選局することが可能である。
【図面の簡単な説明】
【０００８】
【図１】図１は実施の形態１における受信装置のブロック図である。
【図２】図２は実施の形態１における放送局から送信される送信データの構造を示す図である。
【図３】図３は実施の形態１における受信装置のスキャニング処理を示すフローチャートである。
【図４】図４は実施の形態１における受信装置の選局情報を示す図である。
【図５】図５は実施の形態１における受信装置の選局画面を示す図である。
【図６Ａ】図６Ａは実施の形態１における受信装置の表示画面の遷移を示す図である。
【図６Ｂ】図６Ｂは実施の形態１における受信装置の表示画面を示す図である。
【図６Ｃ】図６Ｃは実施の形態１における受信装置の表示画面を示す図である。
【図６Ｄ】図６Ｄは実施の形態１における受信装置の表示画面を示す図である。
【図６Ｅ】図６Ｅは実施の形態１における受信装置の表示画面を示す図である。
【図６Ｆ】図６Ｆは実施の形態１における受信装置の表示画面を示す図である。
【図７Ａ】図７Ａは実施の形態１における受信装置の表示画面を示す図である。
【図７Ｂ】図７Ｂは実施の形態１における受信装置の表示画面を示す図である。
【図７Ｃ】図７Ｃは実施の形態１における受信装置の表示画面を示す図である。
【図７Ｄ】図７Ｄは実施の形態１における受信装置の表示画面を示す図である。
【図８】図８は実施の形態２における受信装置のブロック図である。
【図９】図９は実施の形態２における受信装置のスキャニング制御部が制御する受信部を示す図である。
【図１０】図１０は実施の形態３における受信装置のブロック図である。
【図１１】図１１は実施の形態３における受信装置の選局情報を示す図である。
【図１２】図１２は実施の形態３における受信装置の選局画面を示す図である。
【図１３】図１３は実施の形態３における受信装置の選局画面作成部が行う縮小処理を示す図である。
【図１４】図１４は実施の形態３における受信装置の選局画面作成部が行う縮小処理を示す図である。
【図１５】図１５は実施の形態４における受信装置のブロック図である。
【図１６】図１６は実施の形態４における受信装置の選局画面を示す図である。
【図１７】図１７は実施の形態４における受信装置の選局画面作成部が行う縮小処理を示す図である。
【図１８】図１８は実施の形態４における受信装置の選局画面作成部が行う縮小処理を示す図である。
【図１９】図１９は実施の形４における受信装置の他の選局画面を示す図である。
【発明を実施するための形態】
【０００９】
以下、本発明の実施の形態についてそれぞれ図面を参照しながら説明する。なお、以下で説明する本発明の実施の形態は、本発明の好ましい一具体例を示すものである。本実施の形態で示される数値、形状、構成要素、構成要素の配置及び接続形態などは、一例であり、本発明を限定する主旨ではない。本発明は、特許請求の範囲だけによって限定される。よって、以下の実施の形態における構成要素のうち、独立請求項に記載されていない構成要素は、本発明の課題を達成するのに必ずしも必要ではないが、より好ましい形態を構成するものとして説明される。
【００１０】
（実施の形態１）
図１は、実施の形態１における受信装置１００のブロック図であり、受信装置１００の構成と受信装置１００の受信環境を示す。
【００１１】
図１において、放送局１９０Ａ、１９０Ｂ、…、１９０Ｆ、…を含む複数の放送局１９０は、受信装置１００が、受信可能な放送局である。放送局１９０は所定のフォーマットに従い、データ放送やオーディオ放送、データ放送とオーディオ放送とを多重化した放送を行っている。
【００１２】
実施の形態１においては、放送局１９０のうち少なくとも一つの放送局が地図画像情報を含むデータ放送を行っているものとする。
【００１３】
図１において、受信装置１００は、受信部１０１と、スキャニング制御部１０２と、制御部１０３と、選局情報格納部１０４と、選局画面作成部１０５と、受信データ格納部１０６と、入出力部１０７とを備える。受信部１０１にはアンテナ１０１Ａが接続されている。受信部１０１は、放送局を選局した場合は、選局された放送局をアンテナ１０１Ａで受信する。例えば、受信部１０１は、周波数が９７．７ＭＨｚである放送局１９０Ｂを選局した場合は、放送局１９０Ｂを受信する。受信装置１００は地図データを備えない。
【００１４】
スキャニング制御部１０２は、受信部１０１の受信する周波数を順次変更して、受信可能な放送局を順次受信するように受信部１０１を制御する。
【００１５】
受信部１０１は、放送局を選局していない間は、スキャニング制御部１０２の制御に従い、受信する周波数を順次変更して、受信可能な放送局を順次受信する。受信部１０１は、放送局から地図画像情報を受信した場合、その放送局の周波数を示す周波数情報と受信した地図画像情報とを組にして選局情報格納部１０４に格納する。
【００１６】
選局情報格納部１０４は、選局情報を格納する。選局情報とは、地図画像情報を送信している放送局で、受信部１０１が受信した放送局に関する情報である。選局情報は、その放送局の周波数情報と地図画像情報から構成される。
【００１７】
選局画面作成部１０５は、選局情報格納部１０４に格納された選局情報から選局画面を作成する。選局画面は、受信部１０１が受信した放送局を地図画像情報から生成した地図画像と周波数情報とを含む画面である。
【００１８】
受信データ格納部１０６は、受信部１０１が受信したニュース、天気等のデータをジャンル別に格納する。
【００１９】
入出力部１０７は表示部１０７Ａと選局部１０７Ｂとを有する。入出力部１０７の表示部１０７Ａは画像を表示する表示画面を有する液晶表示パネル等の表示パネルよりなり、選局部１０７Ｂは表示部１０７Ａである表示パネルに重ねて配置されたタッチパネルよりなる。
【００２０】
入出力部１０７では、選局画面作成部１０５が作成した選局画面を表示部１０７Ａに表示する。入出力部１０７では、選局部１０７Ｂであるタッチパネルに対するユーザのタッチ操作を検出し、ユーザによってタッチされた位置で表示部１０７Ａに表示された放送局の周波数を示す周波数情報を制御部１０３へ出力する。また、入出力部１０７は、音声を出力するスピーカ１０７Ｃをさらに有する。
【００２１】
制御部１０３は、受信装置１００の上記の各部を制御する。
【００２２】
図２は、地図画像情報を含むデータ放送を行っている放送局から送信される送信データの構造を示す。
【００２３】
送信データは、交通地図画像情報２０１、株価２０２、ニュース２０３、天気２０４、渋滞情報２０５を含む。送信データは適宜更新され、繰り返し送信される。ニュース２０３、天気２０４、渋滞情報２０５には、交通地図画像情報２０１が示す特定の地域（以下、サービスエリアと呼ぶ）に関する情報が含まれている。送信データには、放送局を識別する情報や、送信データの更新時を示す情報、送信データを識別するための情報等が付加されている。
【００２４】
交通地図画像情報２０１は、地図画像情報２０６を含む。地図画像情報２０６は、特定の地域の地図画像を表す地図画像ファイル２０７とその地図画像の領域を示す地図画像の位置情報２０８を含む。地図画像ファイル２０７が表す地図画像には、渋滞情報が付加された地図画像、天気情報が付加された地図画像等、情報が付加された地図画像も含まれる。付加された情報の種別は、ファイルに付加された識別情報やファイル名等により識別される。地図画像情報は、地図画像が示す地域の名である地域名も含む。
【００２５】
図３はスキャニング制御部１０２が行うスキャニング処理を示すフローチャートであり、特に、データ放送を受信していないときの受信装置１００の動作を示す。
【００２６】
スキャニング制御部１０２は、受信部１０１が受信する周波数を受信部１０１が受信できる周波数の下限、例えば８７．５ＭＨｚに設定する（ステップＳ３０１）。スキャニング制御部１０２は、設定した周波数が、受信部１０１が受信できる周波数の上限を超えたか否かを判定する（ステップＳ３０２）。
【００２７】
ステップＳ３０２において設定した周波数が、受信部１０１が受信できる周波数の上限を超えていない場合（ステップＳ３０２の「ＮＯ」）、受信部１０１に設定した周波数を受信させる。受信部１０１は、設定した周波数における受信部１０１の受信した信号の品質である受信品質を示す品質値により受信品質を判定する（ステップＳ３０３）。実施の形態１では、品質値は受信した信号の電界強度である。受信品質が所定レベルより良いことを品質値が示す場合すなわち電界強度が所定値、例えば、３０ｄＢμＶ以上の場合（ステップＳ３０３の「ＹＥＳ」）、スキャニング制御部１０２は、設定した周波数で放送を行っている放送局を受信部１０１で受信可能な放送局と判定する。スキャニング制御部１０２は、受信部１０１に設定した周波数によるその放送局の放送を継続して受信させる（ステップＳ３０４）。
【００２８】
スキャニング制御部１０２は、受信部１０１が、設定された周波数で地図画像情報を受信したか否かを判定する（ステップＳ３０５）。地図画像情報を受信した場合（ステップＳ３０の「ＹＥＳ」）、受信部１０１は、設定した周波数を示す周波数情報と受信された地図画像情報とを対にして選局情報格納部１０４に選局情報として格納する（ステップＳ３０７）。
【００２９】
実施の形態１における受信装置１００では、受信部１０１は、周波数情報として設定した周波数と、設定した周波数で放送を行っている放送局の名である放送局名を選局情報格納部１０４に格納する。受信部１０１は、地図画像情報として特定の地域の地図画像を表す地図画像ファイルを選局情報格納部１０４に格納する。受信部１０１が受信可能な放送局は、受信装置１００の位置や時刻により変わることがある。同じ周波数であっても、放送局が変わり、データ放送の内容が変わる場合もある。
【００３０】
受信部１０１は、選局画面作成部１０５が、最新の選局画面を生成できるように、選局情報と共に選局情報を受信した時刻を選局情報格納部１０４に格納する。
【００３１】
ステップＳ３０５において受信部１０１が、地図画像情報を受信していない場合（ステップＳ３０５の「ＮＯ」）、所定時間、例えば１分経過するまで、ステップＳ３０４からステップＳ３０５の動作を繰り返す（ステップＳ３０６）。
【００３２】
ステップＳ３０６において所定時間が経過した場合、（ステップＳＳ３０６の「ＹＥＳ」）、ステップＳ３０３において受信品質が一定値以上でないと判定した場合（例えば電界強度が３０ｄＢｕＶ未満の場合）、スキャニング制御部１０２は、受信部１０１が受信する周波数を更新して設定する（ステップＳ３０８）。ステップＳ３０７で選局情報と受信時刻を選局情報格納部１０４に格納した場合も、ステップＳ３０８においてスキャニング制御部１０２は、受信部１０１が受信する周波数を更新して設定する。
【００３３】
例えば、周波数の更新の増分を０．１ＭＨｚとした場合、ステップ３０８においてスキャニング制御部１０２は、現在の周波数に０．１ＭＨｚを加算した周波数を受信部１０１が受信する周波数に設定し、ステップＳ３０２においてその周波数が上限周波数を超えたか否かを判定する。
【００３４】
ステップＳ３０２において、設定した周波数が、受信部１０１が受信できる周波数の上限を超えたと判定した場合（ステップＳ３０２の「ＮＯ」）、ステップＳ３０１においてスキャニング制御部１０２は、受信部１０１が受信する周波数を下限に設定し、スキャニング処理を再度開始する。
【００３５】
図３に示すスキャニング処理は、例えば、ユーザによる指示、制御部１０３からの指示により開始し、ユーザの操作により受信部１０１がデータ放送の受信を開始した時に終了する。
【００３６】
制御部１０３は、例えば、所定定時間毎に受信部１０１がデータ放送を受信中か否か判定し、受信部１０１がデータ放送を受信していない場合に、スキャニング処理の開始をスキャニング制御部１０２へ指示する。
【００３７】
図４はスキャニング処理により取得された選局情報を示す。図４に示す選局情報は選局情報格納部１０４に格納される。
【００３８】
図４は、放送局１９０Ａ〜１９０Ｆの６つの放送局に関する情報を示している。図４における放送局群４１は、スキャニング処理により、放送局１９０Ａ、１９０Ｂ、１９０Ｃ、１９０Ｄ、１９０Ｅが受信可能な放送局として選局情報格納部１０４に格納されたことを示している。
【００３９】
放送局群４２は、次のスキャニング処理で、放送局Ｅが受信できなくなったことを示している。周波数１０７．９ＭＨｚの放送局が、放送局１９０Ｄから放送局１９０Ｆに変わり、放送局１９０Ｄと異なる内容のデータ放送を行っていることを示している。
【００４０】
選局画面作成部１０５は、選局情報格納部１０４に格納された選局情報から選局画面を作成する。選局画面作成部１０５は、最新のスキャニング処理により取得した選局情報から選局画面を作成する。最新のスキャニング処理により取得した選局情報とは、例えば、図４の放送局群４３に示す選局情報が該当する。
【００４１】
図５は、選局画面作成部１０５が作成する選局画面を示す。
【００４２】
選局画面作成部１０５は、入出力部１０７の表示部１０７Ａの表示画面を１つ以上の表示領域に分割し、分割した表示領域に放送局を表示する。一つの表示領域に一つの受信可能な放送局が表示される。
【００４３】
選局画面５００は、四つの表示領域、表示領域５１０、表示領域５２０、表示領域５３０、表示領域５４０からなる。
【００４４】
一つの受信可能な放送局、例えば表示領域５１０にある放送局は、周波数情報５０１と地図画像情報から生成した地図画像５０２によって表示される。
【００４５】
選局画面５００において、表示領域５２０、表示領域５４０に表示された地図画像上の矢印は、交通が渋滞している方向を示している。
【００４６】
ユーザによってタッチされた表示領域にある放送局の周波数は、制御部１０３により受信部１０１の受信する受信周波数として設定される。受信部１０１は、設定された周波数の放送局を受信する。
【００４７】
次に、受信装置１００の動作について説明する。
【００４８】
図６Ａから６Ｆと図７Ａから図７Ｄは、実施の形態１における受信装置１００を搭載したディスプレイオーディオ装置の表示画面を示す。ディスプレイオーディオ装置とは、地図データとナビゲーション機能を持たない、ディスプレイとＡｕｄｉｏ／Ｖｉｓｕａｌ（ＡＶ）機能を備えた車載装置である。
【００４９】
図６Ａから６Ｆと図７Ａから図７Ｄに示す動作において受信装置１００の入出力部１０７はディスプレイオーディオの入出力部を兼ねている。すなわち、図６Ａから６Ｆと図７Ａから図７Ｄに示す表示画面は、受信装置１００の入出力部１０７の表示部１０７Ａの表示画面である。
【００５０】
図６Ａに示す表示画面は、「ＡＭラジオ」、「ＦＭラジオ」、「ＤＶＤ」、「ＣＤ」、「ＵＳＢ  Ａｕｄｉｏ」、「データ放送（受信中）」の標示を表示しており、ディスプレイオーディオ装置がデータ放送以外に、ＡＭラジオ、ＦＭラジオ、ＤＶＤ、ＣＤ、ＵＳＢ  Ａｕｄｉｏの機能を備えていることを示している。また、「データ放送（受信中）」との標示は、受信部１０１が、受信放送局を選局していることを示している。
【００５１】
図６Ａに示す表示画面で、ユーザが「データ放送（受信中）」の標示をタッチすると表示部１０７Ａに表示される画面は図６Ｂに示す表示画面に移る。図６Ｂに示す表示画面は、「ニュース」、「気象情報」、「渋滞情報」の標示を表示し、受信部１０１が選局している放送局からニュース、気象情報、渋滞情報を受信していること表している。図６Ｂに示す表示画面で、ユーザが「気象情報」の標示をタッチすると、表示部１０７Ａに表示される画面は図６Ｃに示す表示画面に移る。この表示画面は「選局」、「戻る」の標示を表示している。ユーザが「戻る」の標示をタッチすると表示部１０７Ａに表示される画面は一つ前の表示画面である図６Ｂに示す表示画面に戻る。
【００５２】
図６Ｃに示す表示画面は、新宿という場所の午前、午後の天気予報を表示している画面である。図６Ｃには、一つ前の画面に戻ることを指示する「戻る」の標示とともに、受信部１０１の選局画面の表示を指示する「選局」の標示が表示されている。
【００５３】
ユーザが、新宿以外の場所の天気予報を知りたい場合、図６Ｃに示す表示画面で「選局」の標示をタッチすると、受信部１０１の受信放送局の選局が解除され、図３に示すスキャニング処理が開始される。選局画面作成部１０５は、スキャニング処理により選局情報が取得される毎に、選局画面を更新し、図６Ｄから図６Ｆに示すように、更新する度に選局画面を入出力部１０７の表示部１０７Ａに表示する。
【００５４】
図６Ｆに示す表示画面において、ユーザは表示領域６１０から表示領域６４０に表示された四つの放送局から、放送局を表す地図画像に基づき受信する放送局を選局することができる。
【００５５】
例えば、ユーザが表示領域６３０をタッチすると、入出力部１０７は、ユーザによってタッチされた表示領域６３０に表示された放送局１９０Ｃの周波数である９８．１ＭＨｚを制御部１０３へ出力する。制御部１０３は受信部１０１の受信周波数を９８．１ＭＨｚに設定し、放送局１９０Ｃを受信放送局として選局する。スキャニング処理は、受信部１０１の受信放送局が選局された時に中止される。受信部１０１は、制御部１０３により選局された放送局１９０Ｃを受信する。
【００５６】
図７Ａから図７Ｄは、特に、受信部１０１が受信放送局を選局していない状態からの表示画面の遷移を示す。
【００５７】
図７Ａに示す表示画面での「データ放送（選局）」の標示は、受信部１０１が受信放送局を選局していないことを示している。図６Ｄから図６Ｆに示す選局画面が所定時間以上表示され、ユーザの選局画面へのタッチ操作が検出されない場合に、表示部１０７Ａは図７Ａに示す表示画面を表示する。
【００５８】
図７Ａに示す表示画面で「データ放送（選局）」の標示をタッチすると、表示画面は図７Ｂに示す選局画面へと移る。図７Ｂに示す表示画面でユーザが地図画像に基づき放送局を選択し画面をタッチすると、制御部１０３は、ユーザによってタッチされた位置に表示されている放送局を受信部１０１の受信放送局として選局する。
【００５９】
選局された放送局から受信したデータは、受信データ格納部１０６に格納される。受信データ格納部１０６にデータが格納されると表示画面は図７Ｃに示す表示画面へと遷移する。
【００６０】
図７Ｃに示す表示画面に含まれる標示をタッチすることにより、標示が示す必要とする情報が図７Ｄに示すように表示される。
【００６１】
以上のように、実施の形態１による受信装置１００では、地図データを備えていない受信装置１００において、データ放送の受信データを活用しユーザが地図画像に基づき放送局を選局することが可能となる。
【００６２】
なお、実施の形態１における受信装置１００は、専用のハードウェアによって実現される他、上記の制御方法を実現するためのプログラムをコンピュータ読み取り可能な記憶媒体に記録し、記録されたプログラムをコンピュータに読み込ませて実行することにより実現されてもよい。
【００６３】
また、実施の形態１における受信装置１００ではスキャニング処理は、所定時間の経過後に次の周波数に移行するように制御する。実施の形態１における受信装置１００では、受信部１０１は受信データに地図画像情報が含まれていることを検出した場合、地図画像情報の受信を完了したタイミングで、次の放送電波の受信に移行するように制御してもよい。また、入出力部１０７を入力部と出力部とを別に構成し、出力部に表示された選局画面を、ボタンやダイヤル等の入力部により選択、特定する構成としてもよい。
【００６４】
また、実施の形態１では、周波数情報として周波数と放送局名を表示したが、周波数だけ、もしくは放送局名だけを表示してもよく、周波数情報は放送局の周波数が制御部１０３により一意に特定できるものであればよい。
【００６５】
例えば、放送局名の別名称と周波数との対応を示す対応表があれる場合には、周波数情報は放送局名の別名称のみであってもよい。
【００６６】
上述のように、受信装置１００は地図データを備えない。受信部１０１は１つ以上の地図画像を受信する。選局情報格納部１０４は、１つ以上の放送局１９０から受信した１つ以上の放送局１９０の周波数をそれぞれ示す１つ以上の周波数情報と１つ以上の地図画像とを対応付けて格納する。選局画面作成部１０５は、選局情報格納部１０４に格納された１つ以上の周波数情報と１つ以上の周波数情報に対応する１つ以上の地図画像で１つ以上の放送局１９０を表示した選局画面５００を作成する。表示部１０７Ａは選局画面５００を表示する。選局部１０７Ｂは、表示部１０７Ａに表示された選局画面５００から１つ以上の放送局１９０のうち受信部１０１が受信する放送局を選局する。
【００６７】
また、上述のように、受信部１０１は、１つ以上の地図画像情報２０６をそれぞれ含む１つ以上の放送を受信する。スキャニング制御部１０２は、受信部１０１の受信周波数を順次変更して、１つ以上の放送局１９０を順次受信するように受信部１０１を制御する。選局情報格納部１０４は、スキャニング制御部１０２で制御されて受信部１０１が受信した１つ以上の放送局１９０の周波数をそれぞれ示す１つ以上の周波数情報５０１と１つ以上の地図画像情報２０６をそれぞれ対応付けて格納する。選局画面作成部１０５は、選局情報格納部１０４に格納された１つ以上の放送局１９０の１つ以上の周波数情報５０１と１つ以上の地図画像情報２０６との組から、１つ以上の周波数情報５０１のうちの少なくとも１つの周波数情報５０１と１つ以上の地図画像情報２０６にそれぞれ基づく１つ以上の地図画像とで１つ以上の放送局１９０を表示した選局画面５００を作成する。
【００６８】
（実施の形態２）
図８は、実施の形態２における受信装置８００のブロック図である。図８において、図１に示す実施の形態１と同様の構成については同一符号を付す。
【００６９】
実施の形態２における受信装置８００の実施の形態１と異なる点は、音声放送を受信する音声放送受信部８０８、８０９をさらに備え、音声放送受信部８０８、８０９がスキャニング処理を行うように構成した点である。
【００７０】
図８において、音声放送受信部８０８、８０９は共に、音声放送とデータ放送とを受信することができる。音声放送受信部８０８、８０９はそれぞれ異なるアンテナ１０１Ａ、８０９Ａに接続されている。
【００７１】
スキャニング制御部８０２は、受信部１０１に加え、音声放送受信部８０８、８０９を制御する。
【００７２】
以上のように構成された受信装置８００について、以下にその動作を説明する。
【００７３】
受信装置８００が音声放送を受信する場合、制御部８０３は、音声放送受信部８０８、８０９を用いてダイバーシティ受信を行う。ダイバーシティ受信は、２つ以上の独立に変動する受信波を合成または切り替えることで、フェージングを軽減する受信方法である。
【００７４】
実施の形態２における受信装置８００では、制御部８０３は、音声放送受信部８０８、８０９のうち受信する電波の電界強度が高い音声放送受信部を、音声放送を受信する音声放送受信部として選択する。入出力部１０７は、選択された音声放送受信部からの音声信号を音声として出力する。
【００７５】
スキャニング制御部８０２は、受信装置８００の受信状況に基づき受信部１０１と音声放送受信部８０８、８０９のうち制御する受信部を選択し、選択した受信部にスキャニング処理を実施させる。
【００７６】
図９は、受信装置８００の受信状況９０１〜９０４に基づく、スキャニング制御部８０２の制御する受信部すなわちスキャニング処理を行う受信部を示す。
【００７７】
受信装置８００がデータ放送と音声放送を受信中の場合（受信状況９０１）、スキャニング制御部８０２は、音声放送受信部８０８、８０９のうち制御部８０３により音声放送を受信する受信部として選択されていない音声放送受信部を制御する受信部とし、音声放送受信部８０８、８０９のうち制御部８０３により音声放送を受信する受信部として選択されている音声放送受信部と受信部１０１とを制御しない受信部に決定する。音声放送受信部８０８、８０９のうちスキャニング制御部８０２で制御されている音声放送受信部は、他方の音声放送受信部が受信中の音声放送の電界強度を定期的に検出するとともに、実施の形態１の図３に示すスキャニング処理を行う。このスキャニング処理は、スキャニング制御部８０２制御されている音声放送受信部が定期的に検出した音声放送の電界強度が、他方の音声放送受信部の受信中の音声放送の電界強度より高くなり、制御部８０３により、音声放送を受信する音声放送受信部としてスキャニング制御部８０２の制御対象となっていた音声放送受信部が選択された時に中止される。
【００７８】
すなわち、受信装置８００がデータ放送と音声放送を受信中の受信状況９０１において、例えば、音声放送受信部８０８、８０９の受信する信号の品質値が、音声放送受信部８０８の受信する信号の品質受信品質が音声放送受信部８０９の受信する信号の受信品質より良いことを示す場合、すなわち、音声放送受信部８０８の受信する信号の電界強度が音声放送受信部８０９の受信する信号の電界強度より大きい場合、制御部８０３は、音声放送受信部８０８、８０９のうち音声放送を受信する受信部として音声放送受信部８０８を選択する。スキャニング制御部８０２は、音声放送受信部８０８、８０９のうち制御部８０３により音声放送を受信する受信部として選択されていない音声放送受信部８０９を、制御する受信部すなわち実施の形態１の図３に示すスキャニング処理を行わせる受信部と決定する。さらに、音声放送受信部８０８、８０９のうちスキャニング制御部８０２で制御されている音声放送受信部８０９は、音声放送受信部８０８、８０９が受信する音声放送の電界強度を定期的に検出する。スキャニング処理は、音声放送受信部８０８、８０９のうちスキャニング処理を行っている音声放送受信部８０９が受信する音声放送の電界強度が、音声放送受信部８０８の受信する音声放送の電界強度より高くなり、制御部８０３により、音声放送を受信する音声放送受信部としてスキャニング制御部８０２で制御されてスキャニング処理を行っていた音声放送受信部８０８が選択された時に中止される。
【００７９】
受信装置８００がデータ放送を受信中で、音声放送を受信していない場合（受信状況９０２）、スキャニング制御部８０２は、音声放送受信部８０８、８０９を制御してスキャニング処理を実施させる。スキャニング制御部８０２は、受信部１０１の受信可能な周波数領域を低周波数領域と高周波数領域の２つに分ける中間周波数を設定して記憶する。低周波数領域の下限周波数は受信部１０１の受信可能な周波数領域の下限周波数であり、上限周波数は中間周波数である。高周波数領域の下限周波数は中間周波数であり、上限周波数は受信部１０１の受信可能な周波数領域の上限周波数である。実施の形態２では低周波数領域の幅と高周波数領域の幅は等しいが、等しくなくてもよい。スキャニング制御部８０２は、低周波数領域において音声放送受信部８０８、８０９のうちの一方にスキャニング処理を実施させ、高周波数領域において音声放送受信部８０８、８０９のうちの他方にスキャニング処理を実施させる。すなわち、スキャニング制御部８０２は、低周波数領域において音声放送受信部８０８にスキャニング処理を実施させ、高周波数領域において音声放送受信部８０９にスキャニング処理を実施させる。スキャニング制御部８０２は、低周波数領域において音声放送受信部８０９にスキャニング処理を実施させ、高周波数領域において音声放送受信部８０８にスキャニング処理を実施させてもよい。このスキャニング処理は、受信装置８００が音声放送の受信を開始した時に中止される。
【００８０】
受信装置８００がデータ放送を受信しておらず、音声放送を受信中の場合（受信状況９０３）、スキャニング制御部８０２は、音声放送受信部８０８、８０９のうち制御部８０３により音声放送の受信部として選択されていない音声放送受信部と受信部１０１とを制御する受信部として決定する。スキャニング制御部８０２は、上記の受信状況９０２と同様に、音声放送受信部８０８、８０９のうち制御部８０３により音声放送の受信部として選択されておらずスキャニング制御部８０２で制御されている音声放送受信部と受信部１０１とに低周波数領域と高周波数領域とでそれぞれスキャニング処理を実施させる。このとき、スキャニング制御部８０２で制御されている音声放送受信部と受信部１０１とに高周波数領域と低周波数領域とでそれぞれスキャニング処理を実施させてもよい。音声放送受信部８０８、８０９のうちスキャニング制御部８０２で制御されている音声放送受信部はスキャニング処理を実施するとともに受信する音声放送の電界強度を検出し、かつ他方の音声放送受信部が受信中の音声放送の電界強度を定期的に検出する。このスキャニング処理は、受信状況９０１での上記動作と同様の動作で制御部８０３により、音声放送の受信部としてスキャニング制御部８０２で制御されている音声放送受信部が選択された時、または、データ放送の受信を開始した時に中止される。
【００８１】
受信装置８００が、データ放送、音声放送ともに受信していない場合（受信状況９０４）、スキャニング制御部８０２は、受信部１０１と音声放送受信部８０８、８０９の３つの受信部を制御してスキャニング処理を実施させる。スキャニング制御部８０２は、受信部１０１の受信可能な周波数領域を低周波数領域と中周波数領域と高周波数領域の３つに分ける低中間周波数と高中間周波数を設定して記憶する。低周波数領域の下限周波数は受信部１０１の受信可能な周波数領域の下限周波数であり、上限周波数は低中間周波数である。中周波数領域の下限周波数は低中間周波数であり、上限周波数は高中間周波数である。高周波数領域の下限周波数は高中間周波数であり、上限周波数は受信部１０１の受信可能な周波数領域の上限周波数である。実施の形態２では低周波数領域との幅と中周波数領域との幅と高周波数領域の幅は等しいが、等しくなくてもよい。スキャニング制御部８０２は、低周波数領域において上記３つの受信部のうちの１つの受信部にスキャニング処理を実施させる。また、スキャニング制御部８０２は、中周波数領域において３つの受信部のうちの他の１つの受信部にスキャニング処理を実施させる。また、スキャニング制御部８０２は、高周波数帯域において３つの受信部うちのさらに他の１つの受信部に、スキャニング処理を実施させる。これらのスキャニング処理は、受信装置８００が、データ放送の受信を開始した時、または、音声放送の受信を開始した時に中止される。
【００８２】
以上説明したように、実施の形態２による受信装置では、地図データを備えていない受信装置において、データ放送の受信データを活用しユーザが地図画像に基づき放送局を選局することができる。
【００８３】
さらに、音声放送受信部８０８、８０９にスキャニング処理を実施させることにより、データ放送の受信中に、選局情報が取得、更新される。ユーザは選局画面の更新を待たずに、データ放送の受信後、引き続き、選局画面に表示された放送局が放送する地図画像に基づき放送局を選局し、データ放送を受信することが可能となる。
【００８４】
また、実施の形態２による受信装置では、スキャニング処理用の専用受信部を節約できるため、コストが小さくなり、受信部の個数を少なく抑えることで、故障率を下げることもできる。
【００８５】
なお、スキャニング処理中に取得した全国ニュース、株価等、地図画像が示す領域に関係しないデータを受信データ格納部１０６に格納することで、ユーザが選局した放送局で取得できない情報も表示することができる。また、これにより、取得できる情報であっても、まだ放送局から配信されていない場合もあるため、より早く情報を表示できる。
【００８６】
また、実施の形態における受信装置８００は、専用のハードウェアによって実現される他、上記の制御方法を実現するためのプログラムをコンピュータ読み取り可能な記憶媒体に記録し、記録されたプログラムをコンピュータに読み込ませて実行することにより実現されてもよい。
【００８７】
上述のように、音声放送受信部８０８（８０９）は、１つ以上の地図画像情報をそれぞれ含む１つ以上の放送と音声放送とを受信可能である。スキャニング制御部８０２は、音声放送受信部８０８（８０９）の受信周波数を順次変更して、１つ以上の放送局１９０を順次受信するように音声放送受信部８０８（８０９）を制御する。選局情報格納部１０４は、スキャニング制御部８０２で制御されて音声放送受信部８０８（８０９）が受信した１つ以上の放送局１９０の１つ以上の周波数情報５０１と１つ以上の地図画像情報２０６とを対応付けて格納する。
【００８８】
（実施の形態３）
図１０は実施の形態３における受信装置１０００のブロック図である。図１０において、図１に示す実施の形態１における受信装置１００と同様の構成については同一符号を付す。
【００８９】
受信装置１０００の実施の形態１と異なる点は、受信装置１０００が現在位置取得部１００８を備えた点、受信部１００１が地図画像情報として地図画像ファイルと共に地図画像の領域を示す地図画像の位置情報を選局情報格納部１００４に格納する点、選局画面作成部１００５が、選局可能な放送局を、周波数情報と、地図画像の位置情報と現在位置とに基づき地図画像と現在位置を示す図形であるアイコンを配置した画像により表示する点である。
【００９０】
図１０において、受信部１００１はスキャニング処理において地図画像情報を受信した場合、選局情報として地図画像ファイルと共に地図画像ファイルが表す地図画像の領域を示す地図画像の位置情報を選局情報格納部１００４に格納する。地図画像の位置情報とは、例えば、地図画像が四角形であった場合、その四角形の４頂点の緯度、経度である。
【００９１】
現在位置取得部１００８は、Ｇｌｏｂａｌ  Ｐｏｓｉｔｉｏｎｉｎｇ  Ｓｙｓｔｅｍ（ＧＰＳ）等により構成され、受信装置１０００の現在位置を示す現在の位置情報を取得することで、受信装置１０００の現在位置を取得する。
【００９２】
選局画面作成部１００５は、選局情報格納部１００４に格納された選局情報と、現在位置取得部１００８により取得された現在位置に基づき選局画面を作成し、入出力部１０７の表示部１０７Ａに表示する。
【００９３】
図１１は、実施の形態３における受信装置１０００の選局情報を示す。選局情報は、選局情報格納部１００４に格納される。図１１は、放送局１９０Ａから受信した地図画像ファイル「Ａ．ｂｍｐ」は、東経１３５．０００００度、東経１３５．０８７８４度、北緯３５．０００００度、北緯３５．０５３９７度を頂点とする四角形の領域を示す地図画像であることを示している。
【００９４】
選局画面作成部１００５は、選局画面の作成時に現在位置取得部１００８から受信装置１０００の現在位置を取得し、取得した現在位置と選局情報格納部１００４に格納された選局情報から選局画面を作成する。
【００９５】
図１２は、実施の形態３における受信装置１０００で作成された選局画面１２００を示す。
【００９６】
選局画面作成部１００５は、入出力部１０７の表示部１０７Ａの表示画面を１つ以上の表示領域に分割し、分割した表示領域に放送局を表示する。一つの表示領域に一つの受信可能な放送局が表示される。
【００９７】
選局画面１２００は、四つの表示領域１２１０、１２２０、１２３０、１２４０からなる。
【００９８】
一つの受信可能な放送局、例えば表示領域１２２０にある放送局は、周波数情報１２０１と地図画像情報から生成した地図画像１２０２と現在位置を示す画像であるアイコン１２０３とにより表示される。
【００９９】
１つの表示領域は、地図画像と現在位置を示すアイコンとを表示する地図画像表示領域を含む。図１２に示す選局画面１２００では、表示領域１２２０は、地図画像１２０２と現在位置を示すアイコン１２０３を表示する地図画像表示領域１２０４を含む。地図画像表示領域において、地図画像と現在位置を示すアイコンとは、緯度と経度に基づき表示される。即ち、地図画像と現在位置を示すアイコンとは、地図画像が示す位置と現在位置との位置関係に基づき表示され、具体的には、地図画像が示す位置と現在位置との相対的な位置関係を維持しつつ表示される。現在位置を示すアイコン１２０３の矢印は受信装置１０００が移動する移動方向を示している。
【０１００】
上述のように、選局画面１２００は、１つ以上の周波数情報１２０１と、１つ以上の地図画像１２０２と、１つ以上の地図画像１２０２がそれぞれ示す１つ以上の位置と現在位置との位置関係に基づき配置された現在位置を示す標示（アイコン１２０３）とを含む。１つ以上の地図画像１２０２と現在位置を示す標示（アイコン１２０３）とは、１つ以上の地図画像１２０２がそれぞれ示す１つ以上の位置と現在位置との相対的な位置関係を維持して選局画面１２００に表示される。
【０１０１】
選局画面作成部１００５は、現在位置を示すアイコンと地図画像が地図画像表示領域に納まるように地図画像を縮小する。
【０１０２】
以下、具体的に選局画面作成部１００５が行う地図画像の縮小処理を説明する。
【０１０３】
選局画面作成部１００５は、現在位置を示すアイコンと地図画像の全てを表示し、かつ、できるだけ地図画像が大きく表示されるように、地図画像を縮小する。
【０１０４】
図１３は、現在位置が地図画像で表されている四角形の領域の内部に存在する場合の縮小を説明する図であり、地図画像１３０１を、地図画像位置１３０２を用いて地図画像表示領域１３０３に表示するために行う縮小処理を示す。
【０１０５】
図１３において、地図画像１３０１での上方が北を示す。地図画像１３０１は横Ａ［ｐｉｘｅｌｓ］、縦Ｂ［ｐｉｘｅｌｓ］の画像である。地図画像１３０１の表す四角形の領域の位置を示す地図画像位置１３０２は、北緯ｄ度〜（ｄ＋ｆ）度、東経ｃ度〜（ｃ＋ｅ）度である。
【０１０６】
つまり、地図画像１３０１は、地図画像位置１３０２である４つの頂点（ｃ度，ｄ度）、（（ｃ＋ｅ）度，ｄ度）、（ｃ度，（ｄ＋ｆ）度）、（（ｃ＋ｅ）度，（ｄ＋ｆ）度）からなる四角形の領域を示す。
【０１０７】
表示部１０７Ａの表示画面内で縦横に配列された複数の画素よりなる表示領域において、地図画像表示領域１３０３は、（Ｇ，Ｈ）［ｐｉｘｅｌ］、（Ｇ＋Ｉ，Ｈ）［ｐｉｘｅｌ］、（Ｇ，Ｈ＋Ｊ）［ｐｉｘｅｌ］、（Ｇ＋Ｉ，Ｈ＋Ｊ）［ｐｉｘｅｌ］の４つの頂点からなる横がＩ［ｐｉｘｅｌｓ］で縦がＪ［ｐｉｘｅｌｓ］の四角形の領域である。現在地を示すアイコンである現在位置アイコンのサイズ（２・Ｋ，２・Ｋ）［ｐｉｘｅｌｓ］である。現在位置１３０４は、（ｘ度、ｙ度）つまり、北緯ｙ度、東経ｘ度である。（ただし、ｆ＞０，ｅ＞０，Ｇ≧０，Ｈ≧０，Ｉ＞０，Ｊ＞０，Ｋ＞０，Ｉ≫２・Ｋ，Ｊ≫２・Ｋ）。
【０１０８】
現在位置が地図画像の表す四角形の内部に存在し、端でもない場合は、選局画面作成部１００５は地図画像１３０１を地図画像表示領域に合わせて縮小し、現在位置を示すアイコンを現在位置に重ね合わせて表示する。
【０１０９】
つまり、（Ｇ＋Ｋ，Ｈ＋Ｋ）［ｐｉｘｅｌ］、（Ｇ＋Ｉ−Ｋ，Ｈ＋Ｋ）［ｐｉｘｅｌ］、（Ｇ＋Ｋ，Ｈ＋Ｊ−Ｋ）［ｐｉｘｅｌ］、（Ｇ＋Ｉ−Ｋ，Ｈ＋Ｊ−Ｋ）［ｐｉｘｅｌ］の４つの頂点からなる四角形１３０５の表示領域に現在位置が含まれる場合は、現在位置を示すアイコンが地図画像表示領域１３０３から欠けないので、地図画像を表示領域に合わせて縮小するだけで、地図画像とアイコンとを地図画像表示領域に表示できる。地図画像の縮小率α（＞０）はＩ／ＡとＪ／Ｂのうちの最も小さい値すなわちα＝ｍｉｎ（Ｉ／Ａ、Ｊ／Ｂ）で表される。
【０１１０】
現在位置１３０４を縮小前の地図画像の位置で表すと、（Ａ・（ｘ−ｃ）／ｅ，Ｂ・（Ｙ−ｄ）／ｆ）［ｐｉｘｅｌ］となるので、地図画像表示領域における現在位置は（Ｇ＋α・Ａ・（ｘ−ｃ）／ｅ，Ｈ＋α・Ｂ・（ｙ−ｄ）／ｆ）［ｐｉｘｅｌ］である。
【０１１１】
よって、Ｇ＋Ｋ＜Ｇ＋α・Ａ・（ｘ−ｃ）／ｅ＜Ｇ＋Ｉ−Ｋかつ、Ｈ＋Ｋ＜Ｈ＋α・Ｂ・（ｙ−ｄ）／ｆ＜Ｈ＋Ｊ−Ｋの場合、つまり、Ｋ・ｅ／（α・Ａ）＋ｃ＜ｘ＜（Ｉ−Ｋ）・ｅ／（α・Ａ）＋ｃかつ、Ｋ・ｆ／（α・Ｂ）＋ｄ＜ｙ＜（Ｊ−Ｋ）・ｆ／（α・Ｂ）＋ｄの場合には、選局画面作成部１００５は地図画像を表示領域に合わせてα倍に拡大する。地図画像の（０，０）［ｐｉｘｅｌ］の位置が表示領域（Ｇ，Ｈ）［ｐｉｘｅｌ］の位置である場合には、（Ｇ＋α・Ａ・（ｘ−ｃ）／ｅ，Ｈ＋α・Ｂ・（ｙ−ｄ）／ｆ）［ｐｉｘｅｌ］を現在位置アイコン１３０６の中心に重ね合わせて現在位置アイコン１３０６を表示する。
【０１１２】
例えば、図１１に示す放送局１９０Ａが送信するデータ放送に含まれる地図画像が示す領域は、東経１３５．０００００度〜東経１３５．０８７８４度、北緯３５．０００００度〜北緯３５．０５３９７度の範囲である。地図画像は横８００ｐｉｘｅｌｓ、縦６００ｐｉｘｅｌｓの画素よりなる。図１２に示す放送局１９０Ａを示す表示領域１２１０での地図画像表示領域１２１０Ａが（６００，１０００）［ｐｉｘｅｌ］、（１０００，１０００）［ｐｉｘｅｌ］、（６００，１３００）［ｐｉｘｅｌ］、（１０００，１３００）［ｐｉｘｅｌ］の４つの頂点からなる四角形の表示領域である。現在位置を示すアイコン１２１０Ｂのサイズが（１００，１００）［ｐｉｘｅｌｓ］である。すなわちＫ＝５０である。現在位置が（東経１３５．０２９２８度，北緯３５．０２６９９度）である。
【０１１３】
この場合には、地図画像の縮小率αは、α＝ｍｉｎ（Ｉ／Ａ，Ｊ／Ｂ）＝ｍｉｎ（（１０００−６００）／８００，（１３００−１０００）／６００）＝ｍｉｎ（４００／８００，３００／６００）＝０．５である。Ｋ・ｅ／α・Ａ＋ｃ＜ｘ＜（Ｉ−Ｋ）・ｅ／（α・Ａ）＋ｃかつ、Ｋ・ｆ／（α・Ｂ）＋ｄ＜ｙ＜（Ｊ−Ｋ）・ｆ／（α・Ｂ）＋ｄ、つまり、０．０１０９８＋１３５．０００００＜１３５．０２９２８＜０．０７６８６＋１３５．０００００かつ、０．００９００＋３５．０００００＜３５．０２６９９＜０．０４４９８＋３５．０００００であるので、選局画面作成部１００５は、地図画像を地図画像表示領域に合わせて０．５倍に縮小し、地図画像の（０，０）［ｐｉｘｅｌ］を表示領域の（６００，１０００）［ｐｉｘｅｌ］に一致させると、図１２に示す放送局１９０Ａのように表示領域（７３３，１１５０）［ｐｉｘｅｌ］に現在位置を示すアイコン１２１０Ｂの中心を重ね合わせて表示する。
【０１１４】
図１４は、現在位置が地図画像の表す四角形の内部に存在しない場合すなわち現在位置がその四角形の外に存在する場合の縮小を説明する図である。図１４に示す地図画像１３０１、地図画像表示領域１３０３のサイズは図１３に示す地図画像１３０１、地図画像表示領域１３０３と同である。
【０１１５】
現在位置が、図１３に示す地図画像１３０１が表す四角形１３０５の領域に含まれない場合は、縮小前の地図画像が示す位置と現在位置の位置関係から、地図画像と現在位置の全てを含むような最小の四角形１４０１を作成する。現在位置１４０２を縮小前の地図画像の位置で表すと、（Ａ・（ｘ−ｃ）／ｅ，Ｂ・（ｙ−ｄ）／ｆ）［ｐｉｘｅｌ］となることから、最小の四角形は、値（Ａ・（ｘ−ｃ）／ｅ）と０のうちの最小の数Ｌ（＝ｍｉｎ（Ａ・（ｘ−ｃ）／ｅ，０））と、値（Ａ・（ｘ−ｃ）／ｅ）と値Ａのうちの最大の値Ｍ（＝ｍａｘ（Ａ・（ｘ−ｃ）／ｅ，Ａ））と、値（Ｂ・（ｙ−ｄ）／ｆ）と０のうちの最小の値Ｎ（＝ｍｉｎ（Ｂ・（ｙ−ｄ）／ｆ，０））と、値（Ｂ・（ｙ−ｄ）／ｆ）と値Ｂのうちの最大の値Ｐ（＝ｍａｘ（Ｂ・（ｙ−ｄ）／ｆ，Ｂ））により表される４つの頂点（Ｌ，Ｎ）［ｐｉｘｅｌ］、（Ｍ，Ｎ）［ｐｉｘｅｌ］、（Ｌ，Ｐ）［ｐｉｘｅｌ］、（Ｍ，Ｐ）［ｐｉｘｅｌ］からなる四角形１４０１となる。
【０１１６】
四角形１４０１の画像を地図画像表示領域１３０３に合わせて縮小する。しかし、四角形１４０１の画像が地図画像表示領域１３０３と縦または横が一致するようにその画像をそのまま縮小すると、現在位置を示すアイコンが欠けるなど、見づらくなるので、選局画面作成部１５０５は、地図画像表示領域１３０３内の（Ｇ＋Ｋ，Ｈ＋Ｋ）［ｐｉｘｅｌ］、（Ｇ＋Ｉ−Ｋ，Ｈ＋Ｋ）［ｐｉｘｅｌ］、（Ｇ＋Ｋ，Ｈ＋Ｊ−Ｋ）［ｐｉｘｅｌ］、（Ｇ＋Ｉ−Ｋ，Ｈ＋Ｊ−Ｋ）［ｐｉｘｅｌ］で表される４つの頂点からなる四角形１３０５に合わせて縮小率βで縮小する。
【０１１７】
地図画像の縮小率βは、β＝ｍｉｎ（（Ｉ−２・Ｋ）／（Ｍ−Ｌ），（Ｊ−２・Ｋ）／（Ｐ−Ｎ））で得られる。よって、地図画像と現在位置を重ね合わせた四角形を表示領域に合わせてβ倍に縮小し、（Ｌ，Ｎ）［ｐｉｘｅｌ］を表示領域（Ｇ＋Ｋ，Ｈ＋Ｋ）［ｐｉｘｅｌ］に一致させて、縮小した地図画像を四角形１４０１内に配置する。さらに、選局画面作成部１５０５は、地図画像表示領域１３０３において（β・（Ａ・（ｘ−ｃ）／ｅ−Ｌ）＋Ｇ＋Ｋ，β・（Ｂ・（ｙ−ｄ）／ｆ−Ｎ）＋Ｈ＋Ｋ）［ｐｉｘｅｌ］を、現在位置を示すアイコン１２０３の中心に合わせてアイコン１２０３を表示する。
【０１１８】
例えば、図１２に示す放送局１９０Ｂが送信するデータ放送での地図画像は、東経１３４．９１２１９〜東経１３４．９９９９９、北緯３５．０５３９８〜北緯３５．１０７９５の領域を示し、横８００ｐｉｘｅｌ×縦６００ｐｉｘｅｌの画素よりなる。画面の表示領域が、頂点が（６００，１０００）［ｐｉｘｅｌ］、（１０００，１０００）［ｐｉｘｅｌ］、（６００，１３００）［ｐｉｘｅｌ］、（１０００，１３００）［ｐｉｘｅｌ］からなる四角形の表示領域であり、現在位置を示すアイコン１２０３のサイズが（１００，１００）［ｐｉｘｅｌｓ］すなわち縦１００［ｐｉｘｅｌｓ］、横１００［ｐｉｘｅｌｓ］の領域内のサイズであり、現在位置は地図画像が示す領域の外にあり、（東経１３５．０２９２８度，北緯３５．０２６９９度）である。
【０１１９】
このとき、地図画像を地図画像表示領域１２０４に最も大きく表示する場合の上記の縮小率αは、α＝ｍｉｎ（４００／８００，３００／６００）＝０．５である。ｘ≦Ｋ・ｅ／（α・Ａ）＋ｃ、もしくは、（Ｉ−Ｋ）・ｅ／（α・Ａ）＋ｃ≦ｘ、もしくは、ｙ≦Ｋ・ｆ／（α・Ｂ）＋ｄ  、もしくは（Ｊ−Ｋ）・ｆ／（α・Ｂ）＋ｄ≦ｙである場合には、地図画像の外に現在位置があるので、選局画面作成部１５０５は、現在位置を示すアイコン１２０３が地図画像表示領域１２０４に表示されるように地図画を縮小する。
【０１２０】
この例の場合、０．０７６８６＋１３４．９１２１９≦１３５．０２９２８であり、３５．０２６９９≦０．００９００＋３５．０５３９８でもあるので、縮小前の地図画像の示す位置と現在位置の位置関係から、地図画像と現在位置との全てを含むような最小の四角形を作成する。
【０１２１】
現在位置を縮小前の地図画像での位置で表すと、（１０６７，−３００）［ｐｉｘｅｌ］となることから、最小の四角形は、Ｌ＝ｍｉｎ（１０６７，０）、Ｍ＝ｍａｘ（１０６７，８００）、Ｎ＝ｍｉｎ（−３００，０）、Ｐ＝ｍａｘ（−３００，６００）で表される４つの頂点（Ｌ，Ｎ）［ｐｉｘｅｌ］、（Ｍ，Ｎ）［ｐｉｘｅｌ］、（Ｌ，Ｐ）［ｐｉｘｅｌ］、（Ｍ，Ｐ）［ｐｉｘｅｌ］からなる四角形、具体的には、（０，−３００）［ｐｉｘｅｌ］、（１０６７，−３００）［ｐｉｘｅｌ］、（０，６００）［ｐｉｘｅｌ］、（１０６７，６００）［ｐｉｘｅｌ］に位置する４つの頂点からなる四角形となる。
【０１２２】
四角形１４０１の画像が地図画像表示領域１３０３と縦または横が一致するようにその画像をそのまま縮小すると、現在位置を示すアイコン１２０３が欠けるなど、見づらくなるので、選局画面作成部１５０５は、（Ｇ＋Ｋ，Ｈ＋Ｋ）［ｐｉｘｅｌ］、（Ｇ＋Ｉ−Ｋ，Ｈ＋Ｋ）［ｐｉｘｅｌ］、（Ｇ＋Ｋ，Ｈ＋Ｊ−Ｋ）［ｐｉｘｅｌ］、（Ｇ＋Ｉ−Ｋ，Ｈ＋Ｊ−Ｋ）［ｐｉｘｅｌ］で表される４つの頂点、すなわち、（６５０，１０５０）［ｐｉｘｅｌ］、（９５０，１０５０）［ｐｉｘｅｌ］、（６５０，１２５０）［ｐｉｘｅｌ］、（９５０，１２５０）［ｐｉｘｅｌ］で表される４つの頂点からなる四角形に合わせてその画像を縮小率βで縮小する。
【０１２３】
地図画像の縮小率βは、β＝ｍｉｎ（（Ｉ−２・Ｋ）／（Ｍ−Ｌ），（Ｊ−２・Ｋ）／（Ｐ−Ｎ））＝ｍｉｎ（３００／１０６７，２００／９００）＝０．２２２２２である。よって、地図画像と現在位置を重ね合わせた四角形を表示領域に合わせて０．２２２２２倍に縮小し、四角形の（０，−３００）［ｐｉｘｅｌ］を地図画像表示領域での（６５０，１０５０）［ｐｉｘｅｌ］に一致させてとして四角形１４０１を地図画像表示領域に配置する。つまり、図１２に示す放送局１９０Ｂが送信するデータ放送の地図画像は、地図画像表示領域上の（６５０，１１１７）、（８２８，１１１７）、（６５０，１２５０）、（８２８，１２５０）を頂点とする四角形の領域に縮小表示され、現在位置を示すアイコン１２０３の中心は、地図画像表示領域での（８８７，１０５０）［ｐｉｘｅｌ］に一致させて、現在位置を示すアイコン１２０３が表示される。
【０１２４】
以上のように実施の形態３による受信装置１０００では、地図データを備えていない受信装置１０００において、データ放送の受信データを活用し、ユーザが地図画像に基づき放送局を選局することが可能となる。
【０１２５】
選局画面作成部１００５が、選局可能な放送局を、周波数情報と、地図画像の位置情報と現在位置とに基づき地図画像と現在位置を示すアイコンを配置した画像とを含む選局画面により表示する。選局画面での現在位置との関係によって、ユーザは地図画像の位置、すなわち、放送のサービスエリアをより明確に把握することが可能となる。
【０１２６】
地図データを備えない受信装置１０００において、ユーザは、地図画像と、地図画像と現在位置との関係に基づきに放送局を選局することにより、より求める情報を取得しやすくなる。
【０１２７】
なお、実施の形態３における受信装置１０００での縮小の動作は、地図画像と現在位置を示すアイコンとを地図画像表示領域に表示する動作の一例であり、例えば、地図画像と現在位置との方位関係のみを正しく表示してもよい。または、地図画像の縮小率を、地図画像と現在位置との間の距離の縮小率とは別な値として地図画像と現在位置のアイコンを表示してもよい。または、地図画像と現在位間の距離を数値で表現してもよい。地図画像が示す位置と現在位置との位置関係に基づく地図画像と現在位置を示すアイコンの表示の態様は例示した縮小に限定されるものではない。
【０１２８】
また、実施の形態３における受信装置１０００は、専用のハードウェアによって実現される他、上記の制御方法を実現するためのプログラムをコンピュータが読み取り可能な記憶媒体に記録し、記録されたプログラムをコンピュータに読み込ませて実行することにより実現されてもよい。
【０１２９】
（実施の形態４）
図１５は、実施の形態４における受信装置１５００のブロック図である。図１５において、図１０に示す実施の形態３における受信装置１０００と同様の構成については同一符号を付す。
【０１３０】
実施の形態４における受信装置１５００は、実施の形態３における受信装置１０００と異なる点は、選局画面作成部１５０５が、複数の地図画像と現在位置を示すアイコンから選局画面を作成する点である。
【０１３１】
選局画面作成部１５０５は、選局画面の作成時に現在位置取得部１００８から受信装置１５００の現在位置を取得し、取得した現在位置と選局情報格納部１００４に格納された選局情報から選局画面を作成する。
【０１３２】
図１６は、実施の形態４における受信装置１５００の選局画面作成部１５０５が作成する選局画面を示す図。
【０１３３】
選局画面１６００は、４つの受信可能な放送局１６０１、１０６２、１６０３、１６０４を示している。選局画面１６００において、受信可能な放送局、例えば放送局１６０２は地図画像１６１０に周波数情報１６２０を重畳した画像として表示される。
【０１３４】
選局画面１６００において、各地図画像の配置と現在位置を示すアイコン１６３０の配置は、緯度経度に基づき表示される。即ち、地図画像が示す位置と現在位置との位置関係に基づき、即ち、地図画像が示す位置と現在位置との相対的な位置関係を維持して表示される。
【０１３５】
上述のように、選局画面１６００は、複数の地図画像１６１０の示す位置と現在位置との位置関係に基づき配置されてかつ複数の周波数情報１６２０をそれぞれ重畳した複数の地図画像１６１０と現在位置を示す標示（アイコン１６３０）を含む。
【０１３６】
選局画面作成部１５０５は、入出力部１０７の表示部１０７Ａの表示画面に現在位置を示すアイコンと、各放送局の地図画像が表示されるように地図画像を縮小する。選局画面作成部１５０５は、できるだけ地図画像が大きく表示されるように、地図画像を縮小する。
【０１３７】
以下、具体的に２つの地図画像１７０１、１７０２を表示する場合の選局画面作成部１５０５が行う縮小処理を説明する。
【０１３８】
図１７は、実施の形態４における受信装置１５００の選局画面作成部１５０５が行う、現在位置が、各放送局を示す地図画像１７０１、１７０２を包含する最小の四角形の内部に存在する場合の縮小を説明する図である。
【０１３９】
図１７は、地図画像１７０１と地図画像１７０２を包含する最小の四角形１７０７に、現在位置１７０６が存在する場合の縮小を示す。
【０１４０】
計算法に関しては、実施の形態３とほぼ同様である。地図画像の上を北とし、各放送局の地図画像１７０１が、横Ａ１［ｐｉｘｅｌｓ］、縦Ｂ１［ｐｉｘｅｌｓ］の画像であり、地図画像１７０２は横Ａ２［ｐｉｘｅｌｓ］縦Ｂ２［ｐｉｘｅｌｓ］の画像である。地図画像１７０１の表す位置は、北緯ｄ１度〜（ｄ１＋ｆ１）度、東経ｃ１度〜（ｃ１＋ｅ１）度であり、地図画像１７０２の表す位置は北緯ｄ２度〜（ｄ２＋ｆ２）度、東経ｃ２度〜（ｃ２＋ｅ２）度である。
【０１４１】
つまり、地図画像１７０１は、４つの頂点（ｃ１度，ｄ１度）、（（ｃ１＋ｅ１）度，ｄ１度）、（ｃ１度，（ｄ１＋ｆ１）度）、（（ｃ１＋ｅ１）度，（ｄ１＋ｆ１）度）からなる四角形１７０４で表される領域を示し、地図画像１７０２は４つの頂点（ｃ２度，ｄ２度）、（（ｃ２＋ｅ２）度，ｄ２度）、（ｃ２度，（ｄ２＋ｆ２）度）、（（ｃ２＋ｅ２）度，（ｄ２＋ｆ２）度）からなる四角形１７０５で表される領域を示す。
【０１４２】
選局画面の地図画像表示領域１７０３は４つの頂点（Ｇ，Ｈ）［ｐｉｘｅｌ］、（Ｇ＋Ｉ，Ｈ）［ｐｉｘｅｌ］、（Ｇ，Ｈ＋Ｊ）［ｐｉｘｅｌ］、（Ｇ＋Ｉ，Ｈ＋Ｊ）［ｐｉｘｅｌ］からなる四角形の領域であり、現在位置アイコンのサイズが（２・Ｋ，２・Ｋ）［ｐｉｘｅｌｓ］すなわち縦２・Ｋ［ｐｉｘｅｌｓ］、横２・Ｋ［ｐｉｘｅｌｓ］の四角形の領域に入るサイズである。現在位置１７０６が（ｘ，ｙ）つまり、北緯ｙ度、東経ｘ度である。（ただし、ｆ１＞０，ｅ１＞０，ｆ２＞０，ｅ２＞０，Ｇ≧０，Ｈ≧０，Ｉ＞０，Ｊ＞０，Ｋ＞０，Ｉ≫２・Ｋ，Ｊ≫２・Ｋ）。四角形１７０７は、地図画像１７０１、１７０２をそれらの相対的な位置関係を維持して合成して得られた各放送局を示す地図画像１７０１、１７０２を包含する最小の四角形である。現在位置が四角形１７０７の内部に存在し、四角形１７０７の端にもなかった場合は、選局画面作成部１５０５は、各放送局の地図画像１７０１、１７０２を縮尺を合わせて位置関係を維持して合成し、合成して得られた画像を地図画像表示領域１７０３に合わせて縮小し、現在位置１７０６を示すアイコンを現在位置１７０６に重ね合わせて表示する。
【０１４３】
四角形１７０７は、Ｃ＝ｍｉｎ（ｃ１，ｃ２）、Ｄ＝ｍｉｎ（ｄ１，ｄ２）、Ｃ＋Ｅ＝ｍａｘ（ｃ１＋ｅ１，ｃ２＋ｅ２）、Ｄ＋Ｆ＝ｍａｘ（ｄ１＋ｆ１，ｄ２＋ｆ２）で表される４つの頂点（Ｃ，Ｄ）、（Ｃ＋Ｅ，Ｄ）、（Ｃ，Ｄ＋Ｆ）、（Ｃ＋Ｅ，Ｄ＋Ｆ）からなる四角形になる。選局画面作成部１５０５は、四角形１７０７内で地図画像１７０１、１７０２の該当する位置に地図画像１７０１、１７０２を縮小して表示する。
【０１４４】
地図画像１７０１の縮小率α１はα１＝ｍｉｎ（Ｉ・ｅ１／（Ｅ・Ａ１），Ｊ・ｆ１／（Ｆ・Ｂ１））で得られ、地図画像１７０１の縮小率α２はα２＝ｍｉｎ（Ｉ・ｅ２／（Ｅ・Ａ２），Ｊ・ｆ２／（Ｆ・Ｂ２））で得られる。四角形１７０７での（α１・Ａ１・（ｃ１−Ｃ）／ｅ１＋Ｇ，α１・Ｂ１・（ｄ１−Ｄ）／ｆ１＋Ｈ）［ｐｉｘｅｌ］の位置を地図画像１７０１の位置（ｃ１，ｄ１）に一致させ、四角形１７０７での（α２・Ａ２・（ｃ２−Ｃ）／ｅ２＋Ｇ，α２・Ｂ２・（ｄ２−Ｄ）／ｆ２＋Ｈ）［ｐｉｘｅｌ］の位置を地図画像１７０２での（ｃ２，ｄ２）に一致させて、選局画面作成部１５０５は地図画像１７０１、１７０２を四角形１７０７に含む選局画面を作成する。
【０１４５】
地図画像表示領域１７０３における現在位置は、（α１・Ａ１・（ｘ−Ｃ）／ｅ１＋Ｇ，α１・Ｂ１・（ｙ−Ｄ）／ｆ１＋Ｈ）［ｐｉｘｅｌ］となるので、Ｋ＜α１・Ａ１・（ｘ−Ｃ）／ｅ１＜Ｉ−Ｋかつ、Ｋ＜α１・Ｂ１・（ｙ−Ｄ）／ｆ１＜Ｊ−Ｋの場合、つまり、Ｋ・ｅ１／（α１・Ａ１）＋Ｃ＜ｘ＜（Ｉ−Ｋ）・ｅ１／（α１・Ａ１）＋Ｃかつ、Ｋ・ｆ１／（α１・Ｂ１）＋Ｄ＜ｙ＜（Ｊ−Ｋ）・ｆ１／（α１・Ｂ１）＋Ｄの場合には、選局画面作成部１５０５は、上記のように、地図画像表示領域１７０３での（α１・Ａ１・（ｘ−ｃ）／ｅ１＋Ｇ，α１・Ｂ１・（ｙ−Ｄ）／ｆ１＋Ｈ）［ｐｉｘｅｌ］の位置に現在位置を示すアイコンの中心を一致させてそのアイコンを地図画像と重ね合わせて表示する。
【０１４６】
図１８は、実施の形態４における受信装置１５００の選局画面作成部１５０５が行う、現在位置が、各放送局を示す地図画像１７０１、１７０２を包含する最小の四角形１７０７の外部に存在する場合の縮小を説明する図である。
【０１４７】
地図画像１７０１、１７０２は図１７に示すものと同じものである。現在位置１８０６が、各放送局を示す地図画像を包含する最小の四角形１７０７の外部に存在する場合は、縮小前の各放送局の地図画像１７０１、１７０２の示す位置と現在位置の相対的な位置関係から、図１８に示すように、選局画面作成部１５０５は地図画像１７０１、１７０２と現在位置との全てを含むような最小の四角形１８０１を作成する。
【０１４８】
四角形１８０１は、値ｘ、ｃ１、ｃ２のうちの最小の値Ｃ’（＝ｍｉｎ（ｘ，ｃ１，ｃ２））と、値ｙ、ｄ１、ｄ２のうちの最小の値Ｄ’（＝ｍｉｎ（ｙ，ｄ１，ｄ２））と、値ｘ、（ｃ１＋ｅ１）、（ｃ２＋ｅ２）のうちの最大の値（Ｃ’＋Ｅ’）（＝ｍａｘ（ｘ，ｃ１＋ｅ１，ｃ２＋ｅ２）と、値ｙ、（ｄ１＋ｆ１）、（ｄ２＋ｆ２）のうちの最大の値（Ｄ’＋Ｆ’）（＝ｍａｘ（ｙ，ｄ１＋ｆ１，ｄ２＋ｆ２）で表される４つの頂点（Ｃ’，Ｄ’）、（Ｃ’＋Ｅ’，Ｄ’）、（Ｃ’，Ｄ’＋Ｆ’）、（Ｃ’＋Ｅ’，Ｄ’＋Ｆ’）からなる四角形の領域となる。
【０１４９】
四角形１８０１の画像を表示部１０７Ａの表示領域に合わせて縮小する。しかし、四角形１８０１の画像が表示部１０７Ａの表示領域と縦または横が一致するようにその画像をそのまま縮小すると、現在位置を示すアイコンが欠けるなど、見づらくなるので、選局画面作成部１５０５は、四角形１８０１の画像を、４つの頂点（Ｇ＋Ｋ，Ｈ＋Ｋ）［ｐｉｘｅｌ］、（Ｇ＋Ｉ−Ｋ，Ｈ＋Ｋ）［ｐｉｘｅｌ］、（Ｇ＋Ｋ，Ｈ＋Ｊ−Ｋ）［ｐｉｘｅｌ］、（Ｇ＋Ｉ−Ｋ，Ｈ＋Ｊ−Ｋ）［ｐｉｘｅｌ］からなる四角形の領域に表示されるように地図画像１７０１、１７０２を縮小率β１、β２でそれぞれ縮小する。
【０１５０】
地図画像１７０１、１７０２のそれぞれの縮小率β１、β２は、β１＝ｍｉｎ（（Ｉ−２・Ｋ）・ｅ１／（Ｅ’・Ａ１），（Ｊ−２・Ｋ）・ｆ１／（Ｆ’・Ｂ１））、β２＝ｍｉｎ（（Ｉ−２Ｋ）・ｅ２／（Ｅ’・Ａ２），（Ｊ−２・Ｋ）ｆ２／（Ｆ’・Ｂ２））で得られる。四角形１８０１の（β１・Ａ１・（ｃ１−ｃ’）／ｅ１＋Ｇ＋Ｋ，β１・Ｂ１・（ｄ１−Ｄ’）／ｆ１＋Ｈ＋Ｋ）［ｐｉｘｅｌ］の位置を地図画像１７０１の（ｃ１，ｄ１）の位置に一致させ、四角形１８０１の（β２・Ａ２・（ｃ２−Ｃ’）／ｅ２＋Ｇ＋Ｋ，β２・Ｂ２・（ｄ２−Ｄ’）／ｆ２＋Ｈ＋Ｋ）［ｐｉｘｅｌ］の位置を地図画像１７０２の（ｃ２，ｄ２）の位置に一致させて、選局画面作成部１５０５は地図画像１７０１、１７０２を四角形１８０２に表示する。
【０１５１】
四角形１８０１における（β１・Ａ１・（ｘ−Ｃ’）／ｅ１＋Ｇ＋Ｋ，β１・Ｂ１・（ｙ−Ｄ’）／ｆ１＋Ｈ＋Ｋ）［ｐｉｘｅｌ］の位置に現在位置を示すアイコンの中心を一致させて、そのアイコンを四角形１８０１に表示された地図画像１７０１、１７０２に重ね合わせて表示する。
【０１５２】
以上のように実施の形態４による受信装置１５００によれば、選局画面作成部１５０５が、複数の地図画像１７０１、１７０２と現在位置１７０６（１８０６）を示すアイコンからなる選局画面を、地図画像と現在位置との関係に基づき作成する。現在位置を基準として各地図画像の位置関係が明確となる。
【０１５３】
地図データを備えない受信装置１５００において、ユーザは現在位置との位置関係が明確となった複数の地図画像から、求める情報を送信している放送局を選局することが可能となる。
【０１５４】
また、受信可能な放送局を全て表示することで、表示画面をスクロールすることなく受信可能な全放送局の中から、求める情報を送信している放送局を選局することが可能となる。
【０１５５】
また、渋滞情報が付加された地図画像、雨雲情報が付加された地図画像等、異なる情報か付加された地図画像が放送されている場合、受信部１０１が、付加された情報によって地図画像を区別して選局情報格納部１００４に格納し、選局画面作成部１５０５が、同一種類の情報が付加された地図画像を用いて選局画面を作成することで、ユーザは特定の付加情報を送信している放送局を選局することが可能となる。
【０１５６】
また、地図画像に替え地図画像が示す地域の名である地域名を用いて選局画面を作成してもよい。図１９は、放送局を地図画像の代わりに地図画像が示す地域の地域名を用いて表示した選局画面を示す。ユーザは、現在位置との関係が明確となった複数の地域名から、求める情報を送信している放送局を選局することが可能となる。
【０１５７】
なお、実施の形態４における受信装置１５００での縮小の動作は、複数の地図画像と現在位置を示すアイコンとを地図画像表示領域に表示する動作の一例であり、例えば、複数の地図画像と現在位置との方位関係のみを正しく表示してもよい。または、複数の地図画像の縮小率を、複数の地図画像のぞれぞれと現在位置との間の距離の縮小率とは別な値として複数の地図画像と現在位置のアイコンを表示してもよい。または、複数の地図画像と現在位間の距離を数値で表現してもよい。複数の地図画像が示す位置と現在位置との位置関係に基づく複数の地図画像と現在位置を示すアイコンの表示の態様は例示した縮小に限定されるものではない。
【０１５８】
また、実施の形態４における受信装置１５００は、専用のハードウェアによって実現される他、上記の制御方法を実現するためのプログラムをコンピュータ読み取り可能な記憶媒体に記録し、記録されたプログラムをコンピュータに読み込ませて実行することにより実現されてもよい。
【産業上の利用可能性】
【０１５９】
本発明における受信装置は、車両等の移動体に搭載されデータ放送を受信する受信装置として有用である。
【符号の説明】
【０１６０】
１００，８００，１０００，１５００    受信装置
１０１，１００１    受信部
１０２，８０２    スキャニング制御部
１０３，８０３    制御部
１０４，１００４    選局情報格納部
１０５，１００５，１５０５    選局画面作成部
１０６    受信データ格納部
１０７    入出力部
８０８    音声放送受信部
８０９    音声放送受信部
１００８    現在位置取得部
【図１】
2015146118.tif 000003
【図２】
2015146118.tif 000004
【図３】
2015146118.tif 000005
【図４】
2015146118.tif 000006
【図５】
2015146118.tif 000007
【図６Ａ】
2015146118.tif 000008
【図６Ｂ】
2015146118.tif 000009
【図６Ｃ】
2015146118.tif 000010
【図６Ｄ】
2015146118.tif 000011
【図６Ｅ】
2015146118.tif 000012
【図６Ｆ】
2015146118.tif 000013
【図７Ａ】
2015146118.tif 000014
【図７Ｂ】
2015146118.tif 000015
【図７Ｃ】
2015146118.tif 000016
【図７Ｄ】
2015146118.tif 000017
【図８】
2015146118.tif 000018
【図９】
2015146118.tif 000019
【図１０】
2015146118.tif 000020
【図１１】
2015146118.tif 000021
【図１２】
2015146118.tif 000022
【図１３】
2015146118.tif 000023
【図１４】
2015146118.tif 000024
【図１５】
2015146118.tif 000025
【図１６】
2015146118.tif 000026
【図１７】
2015146118.tif 000027
【図１８】
2015146118.tif 000028
【図１９】
2015146118.tif 000029
【手続補正書】
【提出日】平成28年9月15日(2016.9.15)
【手続補正１】
【補正対象書類名】明細書
【補正対象項目名】０００８
【補正方法】変更
【補正の内容】
【０００８】
【図１】図１は実施の形態１における受信装置のブロック図である。
【図２】図２は実施の形態１における放送局から送信される送信データの構造を示す図である。
【図３】図３は実施の形態１における受信装置のスキャニング処理を示すフローチャートである。
【図４】図４は実施の形態１における受信装置の選局情報を示す図である。
【図５】図５は実施の形態１における受信装置の選局画面を示す図である。
【図６Ａ】図６Ａは実施の形態１における受信装置の表示画面の遷移を示す図である。
【図６Ｂ】図６Ｂは実施の形態１における受信装置の表示画面を示す図である。
【図６Ｃ】図６Ｃは実施の形態１における受信装置の表示画面を示す図である。
【図６Ｄ】図６Ｄは実施の形態１における受信装置の表示画面を示す図である。
【図６Ｅ】図６Ｅは実施の形態１における受信装置の表示画面を示す図である。
【図６Ｆ】図６Ｆは実施の形態１における受信装置の表示画面を示す図である。
【図７Ａ】図７Ａは実施の形態１における受信装置の表示画面を示す図である。
【図７Ｂ】図７Ｂは実施の形態１における受信装置の表示画面を示す図である。
【図７Ｃ】図７Ｃは実施の形態１における受信装置の表示画面を示す図である。
【図７Ｄ】図７Ｄは実施の形態１における受信装置の表示画面を示す図である。
【図８】図８は実施の形態２における受信装置のブロック図である。
【図９】図９は実施の形態２における受信装置のスキャニング制御部が制御する受信部を示す図である。
【図１０】図１０は実施の形態３における受信装置のブロック図である。
【図１１】図１１は実施の形態３における受信装置の選局情報を示す図である。
【図１２】図１２は実施の形態３における受信装置の選局画面を示す図である。
【図１３】図１３は実施の形態３における受信装置の選局画面作成部が行う縮小処理を示す図である。
【図１４】図１４は実施の形態３における受信装置の選局画面作成部が行う縮小処理を示す図である。
【図１５】図１５は実施の形態４における受信装置のブロック図である。
【図１６】図１６は実施の形態４における受信装置の選局画面を示す図である。
【図１７】図１７は実施の形態４における受信装置の選局画面作成部が行う縮小処理を示す図である。
【図１８】図１８は実施の形態４における受信装置の選局画面作成部が行う縮小処理を示す図である。
【図１９】図１９は実施の形態４における受信装置の他の選局画面を示す図である。
【手続補正２】
【補正対象書類名】明細書
【補正対象項目名】００１７
【補正方法】変更
【補正の内容】
【００１７】
選局画面作成部１０５は、選局情報格納部１０４に格納された選局情報から選局画面を作成する。選局画面は、受信部１０１が受信した放送局を示して地図画像情報から生成した地図画像と周波数情報とを含む画面である。
【手続補正３】
【補正対象書類名】明細書
【補正対象項目名】００２８
【補正方法】変更
【補正の内容】
【００２８】
スキャニング制御部１０２は、受信部１０１が、設定された周波数で地図画像情報を受信したか否かを判定する（ステップＳ３０５）。地図画像情報を受信した場合（ステップＳ３０５の「ＹＥＳ」）、受信部１０１は、設定した周波数を示す周波数情報と受信された地図画像情報とを対にして選局情報格納部１０４に選局情報として格納する（ステップＳ３０７）。
【手続補正４】
【補正対象書類名】明細書
【補正対象項目名】００３６
【補正方法】変更
【補正の内容】
【００３６】
制御部１０３は、例えば、所定時間毎に受信部１０１がデータ放送を受信中か否か判定し、受信部１０１がデータ放送を受信していない場合に、スキャニング処理の開始をスキャニング制御部１０２へ指示する。
【手続補正５】
【補正対象書類名】明細書
【補正対象項目名】００３９
【補正方法】変更
【補正の内容】
【００３９】
放送局群４２は、次のスキャニング処理で、放送局１９０Ｅが受信できなくなったことを示している。周波数１０７．９ＭＨｚの放送局が、放送局１９０Ｄから放送局１９０Ｆに変わり、放送局１９０Ｄと異なる内容のデータ放送を行っていることを示している。
【手続補正６】
【補正対象書類名】明細書
【補正対象項目名】００４８
【補正方法】変更
【補正の内容】
【００４８】
図６Ａから図６Ｆと図７Ａから図７Ｄは、実施の形態１における受信装置１００を搭載したディスプレイオーディオ装置の表示画面を示す。ディスプレイオーディオ装置とは、地図データとナビゲーション機能を持たない、ディスプレイとＡｕｄｉｏ／Ｖｉｓｕａｌ（ＡＶ）機能を備えた車載装置である。
【手続補正７】
【補正対象書類名】明細書
【補正対象項目名】００６５
【補正方法】変更
【補正の内容】
【００６５】
例えば、放送局名の別名称と周波数との対応を示す対応表がある場合には、周波数情報は放送局名の別名称のみであってもよい。
【手続補正８】
【補正対象書類名】明細書
【補正対象項目名】００６７
【補正方法】変更
【補正の内容】
【００６７】
また、上述のように、受信部１０１は、１つ以上の地図画像情報２０６をそれぞれ含む１つ以上の放送を受信する。スキャニング制御部１０２は、受信部１０１の受信周波数を順次変更して、１つ以上の放送局１９０を順次受信するように受信部１０１を制御する。選局情報格納部１０４は、スキャニング制御部１０２で制御されて受信部１０１が受信した１つ以上の放送局１９０の周波数をそれぞれ示す１つ以上の周波数情報５０１と１つ以上の地図画像情報２０６をそれぞれ対応付けて格納する。選局画面作成部１０５は、選局情報格納部１０４に格納された１つ以上の放送局１９０の１つ以上の周波数情報５０１と１つ以上の地図画像情報２０６とよりそれぞれなる１つ以上の組から、１つ以上の周波数情報５０１のうちの少なくとも１つの周波数情報５０１と１つ以上の地図画像情報２０６のうちの少なくとも１つの地図画像情報２０６とにそれぞれ基づく１つ以上の地図画像とで１つ以上の放送局１９０を表示した選局画面５００を作成する。
【手続補正９】
【補正対象書類名】明細書
【補正対象項目名】００７７
【補正方法】変更
【補正の内容】
【００７７】
受信装置８００がデータ放送と音声放送を受信中の場合（受信状況９０１）、スキャニング制御部８０２は、音声放送受信部８０８、８０９のうち制御部８０３により音声放送を受信する受信部として選択されていない音声放送受信部を制御する受信部とし、音声放送受信部８０８、８０９のうち制御部８０３により音声放送を受信する受信部として選択されている音声放送受信部と受信部１０１とを制御しない受信部に決定する。音声放送受信部８０８、８０９のうちスキャニング制御部８０２で制御されている音声放送受信部は、他方の音声放送受信部が受信中の音声放送の電界強度を定期的に検出するとともに、実施の形態１の図３に示すスキャニング処理を行う。このスキャニング処理は、スキャニング制御部８０２で制御されている音声放送受信部が定期的に検出した音声放送の電界強度が、他方の音声放送受信部の受信中の音声放送の電界強度より高くなり、制御部８０３により、音声放送を受信する音声放送受信部としてスキャニング制御部８０２の制御対象となっていた音声放送受信部が選択された時に中止される。
【手続補正１０】
【補正対象書類名】明細書
【補正対象項目名】００８６
【補正方法】変更
【補正の内容】
【００８６】
また、実施の形態２における受信装置８００は、専用のハードウェアによって実現される他、上記の制御方法を実現するためのプログラムをコンピュータ読み取り可能な記憶媒体に記録し、記録されたプログラムをコンピュータに読み込ませて実行することにより実現されてもよい。
【手続補正１１】
【補正対象書類名】明細書
【補正対象項目名】０１１０
【補正方法】変更
【補正の内容】
【０１１０】
現在位置１３０４を縮小前の地図画像の位置で表すと、（Ａ・（ｘ−ｃ）／ｅ，Ｂ・（ｙ−ｄ）／ｆ）［ｐｉｘｅｌ］となるので、地図画像表示領域における現在位置は（Ｇ＋α・Ａ・（ｘ−ｃ）／ｅ，Ｈ＋α・Ｂ・（ｙ−ｄ）／ｆ）［ｐｉｘｅｌ］である。
【手続補正１２】
【補正対象書類名】明細書
【補正対象項目名】０１１４
【補正方法】変更
【補正の内容】
【０１１４】
図１４は、現在位置が地図画像の表す四角形の内部に存在しない場合すなわち現在位置がその四角形の外に存在する場合の縮小を説明する図である。図１４に示す地図画像１３０１、地図画像表示領域１４０３のサイズは図１３に示す地図画像１３０１、地図画像表示領域１３０３と同である。
【手続補正１３】
【補正対象書類名】明細書
【補正対象項目名】０１２７
【補正方法】変更
【補正の内容】
【０１２７】
なお、実施の形態３における受信装置１０００での縮小の動作は、地図画像と現在位置を示すアイコンとを地図画像表示領域に表示する動作の一例であり、例えば、地図画像と現在位置との方位関係のみを正しく表示してもよい。または、地図画像の縮小率を、地図画像と現在位置との間の距離の縮小率とは別な値として地図画像と現在位置のアイコンを表示してもよい。または、地図画像と現在位置との間の距離を数値で表現してもよい。地図画像が示す位置と現在位置との位置関係に基づく地図画像と現在位置を示すアイコンの表示の態様は例示した縮小に限定されるものではない。
【手続補正１４】
【補正対象書類名】明細書
【補正対象項目名】０１３３
【補正方法】変更
【補正の内容】
【０１３３】
選局画面１６００は、４つの受信可能な放送局１６０１、１６０２、１６０３、１６０４を示している。選局画面１６００において、受信可能な放送局、例えば放送局１６０２は地図画像１６１０に周波数情報１６２０を重畳した画像として表示される。
【手続補正１５】
【補正対象書類名】明細書
【補正対象項目名】０１４４
【補正方法】変更
【補正の内容】
【０１４４】
地図画像１７０１の縮小率α１はα１＝ｍｉｎ（Ｉ・ｅ１／（Ｅ・Ａ１），Ｊ・ｆ１／（Ｆ・Ｂ１））で得られ、地図画像１７０２の縮小率α２はα２＝ｍｉｎ（Ｉ・ｅ２／（Ｅ・Ａ２），Ｊ・ｆ２／（Ｆ・Ｂ２））で得られる。四角形１７０７での（α１・Ａ１・（ｃ１−Ｃ）／ｅ１＋Ｇ，α１・Ｂ１・（ｄ１−Ｄ）／ｆ１＋Ｈ）［ｐｉｘｅｌ］の位置を地図画像１７０１の位置（ｃ１，ｄ１）に一致させ、四角形１７０７での（α２・Ａ２・（ｃ２−Ｃ）／ｅ２＋Ｇ，α２・Ｂ２・（ｄ２−Ｄ）／ｆ２＋Ｈ）［ｐｉｘｅｌ］の位置を地図画像１７０２での（ｃ２，ｄ２）に一致させて、選局画面作成部１５０５は地図画像１７０１、１７０２を四角形１７０７に含む選局画面を作成する。
【手続補正１６】
【補正対象書類名】明細書
【補正対象項目名】０１５７
【補正方法】変更
【補正の内容】
【０１５７】
なお、実施の形態４における受信装置１５００での縮小の動作は、複数の地図画像と現在位置を示すアイコンとを地図画像表示領域に表示する動作の一例であり、例えば、複数の地図画像と現在位置との方位関係のみを正しく表示してもよい。または、複数の地図画像の縮小率を、複数の地図画像のそれぞれと現在位置との間の距離の縮小率とは別な値として複数の地図画像と現在位置のアイコンを表示してもよい。または、複数の地図画像と現在位間の距離を数値で表現してもよい。複数の地図画像が示す位置と現在位置との位置関係に基づく複数の地図画像と現在位置を示すアイコンの表示の態様は例示した縮小に限定されるものではない。
【手続補正１７】
【補正対象書類名】特許請求の範囲
【補正対象項目名】全文
【補正方法】変更
【補正の内容】
【特許請求の範囲】
【請求項１】
地図データを備えない受信装置であって、
１つ以上の地図画像を受信する受信部と、
１つ以上の放送局から受信した前記１つ以上の放送局の周波数をそれぞれ示す１つ以上の周波数情報と前記１つ以上の地図画像とを対応付けて格納する選局情報格納部と、
前記選局情報格納部に格納された前記１つ以上の周波数情報と前記１つ以上の周波数情報に対応する前記１つ以上の地図画像で前記１つ以上の放送局を表示した選局画面を作成する選局画面作成部と、
前記選局画面を表示する表示部と、
前記表示部に表示された前記選局画面から前記１つ以上の放送局のうち前記受信部が受信する放送局を選局する選局部と、
を備えた受信装置。
【請求項２】
地図データを備えない受信装置であって、
１つ以上の地図画像情報をそれぞれ含む１つ以上の放送を受信する受信部と、
前記受信部の受信周波数を順次変更して、１つ以上の放送局を順次受信するように前記受信部を制御するスキャニング制御部と、
前記スキャニング制御部で制御されて前記受信部が受信した前記１つ以上の放送局の周波数をそれぞれ示す１つ以上の周波数情報と前記１つ以上の地図画像情報をそれぞれ対応付けて格納する選局情報格納部と、
前記選局情報格納部に格納された前記１つ以上の放送局の前記１つ以上の周波数情報と前記１つ以上の地図画像情報とからそれぞれなる１つ以上の組のうちの、前記１つ以上の周波数情報のうちのすくなくとも１つの周波数情報と前記１つ以上の地図画像情報にそれぞれ基づく１つ以上の地図画像のうちのすくなくとも１つの地図画像とからなるすくなくとも１つの組で前記１つ以上の放送局のうちの前記すくなくとも１つの周波数情報が示す周波数のすくなくとも１つの放送局を表示した選局画面を作成する選局画面作成部と、
前記選局画面を表示する表示部と、
前記表示部に表示された前記選局画面から前記１つ以上の放送局のうち前記受信部が受信する放送局を選局する選局部と、
を備えた受信装置。
【請求項３】
音声放送と、前記１つ以上の放送とを受信可能な音声放送受信部をさらに備え、
前記スキャニング制御部は、前記音声放送受信部の受信周波数を順次変更して、前記１つ以上の放送局を順次受信するように前記音声放送受信部を制御し、
前記選局情報格納部は、前記スキャニング制御部で制御されて前記音声放送受信部が受信した前記１つ以上の放送局の前記１つ以上の周波数情報と前記１つ以上の地図画像情報とを対応付けて格納する、請求項２に記載の受信装置。
【請求項４】
現在位置を取得する現在位置取得部をさらに備え、
前記選局画面は、前記１つ以上の周波数情報と、前記１つ以上の地図画像と、前記１つ以上の地図画像がそれぞれ示す１つ以上の位置と前記現在位置との位置関係に基づき配置された前記現在位置を示す標示とを含む、請求項２または請求項３に記載の受信装置。
【請求項５】
現在位置を取得する現在位置取得部をさらに備え、
前記１つ以上の放送局は複数の放送局であり、
前記１つ以上の周波数情報は、前記複数の放送局の周波数をそれぞれ示す複数の周波数情報であり、
前記１つ以上の地図画像は、複数の地図画像であり、
前記選局画面は、前記複数の地図画像の示す位置と前記現在位置との位置関係に基づき配置されてかつ前記複数の周波数情報をそれぞれ重畳した複数の地図画像と前記現在位置を示す標示を含む、請求項２または請求項３に記載の受信装置。
【請求項６】
地図データを備えない受信装置の制御方法であって、
受信周波数を順次変更して、１つ以上の受信可能な放送を順次受信するステップと、
前記受信した１つ以上の受信可能な放送から１つ以上の地図画像情報を抽出し、前記１つ以上の受信可能な放送の１つ以上の周波数情報とそれぞれ対応付けて格納するステップと、
前記格納された１つ以上の周波数情報と前記格納された１つ以上の周波数情報にそれぞれ対応する前記１つ以上の地図画像情報とからそれぞれなる１つ以上の組から前記格納された１つ以上の周波数情報と前記１つ以上の地図画像で前記１つ以上の受信可能な放送を表示した選局画面を作成するステップと、
前記作成した選局画面を表示するステップと、
を含む、受信装置の制御方法。
【請求項７】
地図データを備えない受信装置の制御方法であって、
受信周波数を順次変更して、１つ以上の受信可能な放送を順次受信するステップと、
前記受信した１つ以上の受信可能な放送から１つ以上の地図画像情報を抽出し、前記１つ以上の受信可能な放送の１つ以上の周波数をそれぞれ示す１つ以上の周波数情報と前記１つ以上の地図画像情報を対応付けて格納するステップと、
現在位置を取得するステップと、
前記１つ以上の受信可能な放送を、前記１つ以上の周波数情報と、前記１つ以上の地図画像と、前記１つ以上の地図画像が示す位置と前記現在位置との位置関係に基づき配置した前記現在位置を示す画像とで表示した選局画面を作成するステップと、
前記作成した選局画面を表示するステップと、
を含む、受信装置の制御方法。
【請求項８】
地図データを備えない受信装置の制御方法であって、
受信周波数を順次変更して、複数の受信可能な放送を順次受信するステップと、
前記受信した複数の受信可能な放送から複数の地図画像情報を抽出し、前記複数の受信可能な放送の周波数をそれぞれ示す複数の周波数情報と対応付けて格納するステップと、
現在位置を取得するステップと、
前記複数の地図画像情報にそれぞれ基づく複数の地図画像の示す位置と前記現在位置との位置関係に基づき配置した前記複数の地図画像と前記現在位置を示す画像とからなる選局画面を、前記複数の地図画像に前記複数の周波数情報をそれぞれ重畳して作成するステップと、
前記作成した選局画面を表示するステップと、
を含む、受信装置の制御方法。
【請求項９】
請求項７または請求項８に記載の制御方法をコンピュータに実行させるためのプログラム。
【請求項１０】
請求項９に記載のプログラムを記録したコンピュータが読み取り可能な記録媒体。
【国際調査報告】
2015146118.tif 000030
2015146118.tif 000031
2015146118.tif 000032
2015146118.tif 000033